(57)【特許請求の範囲】
【請求項１】
携帯端末を収容する台本体に、外部ケーブル端子との接点となる第一端子部および、前記携帯端末の収容時に該携帯端末と前記第一端子部との間に介在し、かつ前記第一端子部と電気的に接続する第二端子部とを備え、
該第二端子部は、前記外部ケーブル端子が前記第一端子部に接続されている状態下にて前記台本体の外部に少なくとも一部が突出して収容された、携帯端末と電気的に接続する第一位置と、前記外部ケーブル端子が前記第一端子部に接続されていない状態下にて前記台本体の内部に収まる第二位置との間において移動可能に設けて成ることを特徴とする携帯端末用台。
【請求項２】
前記第二端子部は、前記第一端子部に前記外部ケーブル端子を接続する際の該外部ケーブル端子の差し込み動作に連動して前記第二位置から第一位置へ移動し、前記第一端子部に差し込まれた前記外部ケーブル端子の引き抜き動作に連動して前記第二位置から第一位置へ移動することを特徴とする請求項１に記載の携帯端末用台。
【請求項３】
携帯端末を収容する台本体に、放送を受信する外部ケーブルの端子との接点となる第一端子部および、前記携帯端末の収容時に該携帯端末と前記第一端子部との間に介在し、かつ前記第一端子部と電気的に接続する第二端子部とを備え、該第二端子部は、前記外部ケーブル端子が前記第一端子部に接続されている状態下にて前記台本体の外部に少なくとも一部が突出して収容された、携帯端末と電気的に接続する第一位置と、前記外部ケーブル端子が前記第一端子部に接続されていない状態下にて前記台本体の内部に収まる第二位置との間において移動可能に設けて成る携帯端末用台と、
前記台本体に収容される放送受信機能を有する携帯端末と、の組み合わせからなる放送受信装置であって、
前記携帯端末は、前記外部ケーブル端子が前記第一端子部に接続されている状態下における前記台本体収容時に、前記第一位置にある前記第二端子部の突出部分と接続する受信端子部を備えることを特徴とする放送受信装置。
【請求項４】
前記携帯端末が内蔵アンテナを備え、前記受信端子と前記第二端子部との接続時に、前記外部ケーブルからの信号入力を前記内蔵アンテナからの信号入力より優先する、切り替え機能を有することを特徴とする請求項３に記載の放送受信装置。
【発明の詳細な説明】
【技術分野】
【０００１】
本発明は、例えば外部アンテナからの放送信号等を携帯端末に供給する中継器となる、携帯端末用台および、該携帯端末用台に携帯端末を組み合わせた放送受信装置に関するものである。
【背景技術】
【０００２】
近年、携帯電話やＰＤＡ（Personal Digital Assistant）を典型例とする携帯端末においても、放送、例えばＶＨＦあるいはＵＨＦテレビジョン放送信号等のテレビジョン放送信号を受信して画像を表示する機能を持つものが製品化されている。いずれの製品も、内蔵アンテナあるいはアンテナ兼用イアホンケーブル等の簡易アンテナを介して、放送信号の受信を行うために、特に屋内の電波環境の悪いところでは、良好な受信状態を得ることが難しかった。その結果、携帯端末上の放送画像並びに音声は、満足する水準にないのが一般的であった。
【０００３】
前記の簡易的なアンテナでは、電波環境の影響を強く受けるが、この点、屋外に設置された外部アンテナを介して受信を行う場合は、アンテナ性能が高い上に、電波環境の影響をほとんど受けることがないため、高品位の放送信号が得られる。
【０００４】
この外部アンテナからの受信を可能とした携帯端末について、特許文献１には、携帯型電子機器をクレードルに装着した際に、該クレードルを介して外部アンテナからの放送信号が供給される装置構成が提案されている。
【特許文献１】特開２００５−７３００５号公報
【発明の開示】
【発明が解決しようとする課題】
【０００５】
ここで、外部アンテナからの受信を可能とするには、外部アンテナから延びる外部ケーブルをクレードルに接続する必要があるが、この点の構成に関して、特許文献１には具体的に記載されていない。
【０００６】
しかしながら、通常は太径の同軸ケーブルが使用される外部ケーブルを携帯端末に直結するのは携帯端末の機構上困難であるから、クレードルなどの携帯端末を収容する台に外部ケーブルを接続し、この台と携帯端末との接続をはかることが肝要であり、その際、台に外部ケーブルを接続する具体的構造の提示は、製品化に当り不可欠である。
【０００７】
そこで、本発明は、携帯端末を収容する台に外部ケーブルを接続する際の具体的な構造を与えることによって、特にテレビジョン機能を備えた携帯端末に、良好な電波環境下で受信した信号を供給するための具体的方途について提案することを目的とする。
【課題を解決するための手段】
【０００８】
すなわち、本発明の要旨は次のとおりである。
（１）携帯端末を収容する台本体に、外部ケーブル端子との接点となる第一端子部および、前記携帯端末の収容時に該携帯端末と前記第一端子部との間に介在し、かつ前記第一端子部と電気的に接続する第二端子部とを備え、
該第二端子部は、前記外部ケーブル端子が前記第一端子部に接続されている状態下にて前記台本体の外部に少なくとも一部が突出して収容された、携帯端末と電気的に接続する第一位置と、前記外部ケーブル端子が前記第一端子部に接続されていない状態下にて前記台本体の内部に収まる第二位置との間において移動可能に設けて成ることを特徴とする携帯端末用台。
【０００９】
（２）前記第二端子部は、前記第一端子部に前記外部ケーブル端子を接続する際の該外部ケーブル端子の差し込み動作に連動して前記第二位置から第一位置へ移動し、前記第一端子部に差し込まれた前記外部ケーブル端子の引き抜き動作に連動して前記第二位置から第一位置へ移動することを特徴とする前記（１）に記載の携帯端末用台。
【００１０】
（３）携帯端末を収容する台本体に、放送を受信する外部ケーブルの端子との接点となる第一端子部および、前記携帯端末の収容時に該携帯端末と前記第一端子部との間に介在し、かつ前記第一端子部と電気的に接続する第二端子部とを備え、該第二端子部は、前記外部ケーブル端子が前記第一端子部に接続されている状態下にて前記台本体の外部に少なくとも一部が突出して収容された、携帯端末と電気的に接続する第一位置と、前記外部ケーブル端子が前記第一端子部に接続されていない状態下にて前記台本体の内部に収まる第二位置との間において移動可能に設けて成る携帯端末用台と、
前記台本体に収容される放送受信機能を有する携帯端末と、の組み合わせからなる放送受信装置であって、
前記携帯端末は、前記外部ケーブル端子が前記第一端子部に接続されている状態下における前記台本体収容時に、前記第一位置にある前記第二端子部の突出部分と接続する受信端子部を備えることを特徴とする放送受信装置。
【００１１】
（４）前記携帯端末が内蔵アンテナを備え、前記受信端子と前記第二端子部との接続時に、前記外部ケーブルからの信号入力を前記内蔵アンテナからの信号入力より優先する、切り替え機能を有することを特徴とする前記（３）に記載の放送受信装置。
【発明の効果】
【００１２】
本発明によれば、携帯端末を収容する台に外部ケーブルを接続する際に有利な構造を具体的に与えることができる。従って、テレビジョン機能を備えた携帯端末に高品位の放送信号が供給されるため、携帯端末においても鮮明な画像を享受することが可能になる。また、ノイズの影響のほとんどない状態で放送信号を受信できるため、録音および録画にも充分な電波環境を提供することができる。
【００１３】
特に、本発明の携帯端末用台では、外部ケーブル端子との接点となる第一端子部と携帯端末との間に介在して両者を電気的に接続する第二端子部を、外部ケーブル端子が接続されている状態下で台本体から突出する構成として、この突出部分の視認によって外部ケーブル端子の接続確認が行えるため、携帯端末用台が例えば放送受信可能な状態にあることが一目瞭然となる利点がある。
【発明を実施するための最良の形態】
【００１４】
以下、本発明に携帯端末用台について、図面を参照して詳しく説明する。
まず、図１に示すように、本発明に従う携帯端末用台１は、外部ケーブル２を接続した状態において、携帯電話として例示する携帯端末１を装着（収容）して使用に供するものである。
すなわち、携帯端末用台１は、図２に分解して示すように、外部ケーブル２との接点となる第一端子部を配したロアケース１０上に、信号中継基板１１および端子受け材１２、次いで充電器として兼用する場合の電源回路等を組み込んだ携帯端末の装着ボード１３、そして第二端子部１４を積層配置し、これらを内包するアッパーケース１５をロアケース１０に固定して成る。
【００１５】
図３に示すように、ロアケース１０に配した第一端子部１６は、ロアケース１０の底面に臨ませて配置し、ケース１０の底面側から外部ケーブル２の端子が差し込まれる。
すなわち、図示の第一端子部１６は同軸コネクタ構造を有し、めす型の中心コンタクト１６ａの外側に外部コンタクト１６ｂおよびフランジ１６ｃを同軸的に配置して成り、図４に示すように、外部ケーブル２の端子であるプラグ１７のおす型の中心コンタクト１７ａを第一端子部１６の中心コンタクト１６ａに、そしてコンタクトリング１７ｂを第一端子部１６の中心コンタクト１６ａ外側の外部コンタクト１６ｂに、それぞれ差し込むことによって、第一端子部１６とプラグ１７との電気的接続がはかられる。
【００１６】
前記接続によって第一端子部１６に入力された放送信号およびグランドは、図５に示すように、例えば１芯シールドケーブル１６ｄを介して中継回路１８に一旦入力され、この中継回路１８の出力端子から１芯シールドケーブル１８ａを介して第二端子部１４に入力される。
このようにして、第１端子部１６と第２端子部１４は電気的に接続されている。
【００１７】
第二端子部１４は、図５、さらには図６に示すように、その突条１４ａが両サイドに形成されており、アッパーケース１５の凹溝にスライド自在に取り付けてアッパーケース１５の携帯端末３装着面Ｓに対して進退する向きに移動可能とし、さらに第二端子部１４の底部を端子受け材１２にて支持することによって前記可動範囲を制御する。なお、第二端子部１４の頭部は、放送信号の出力端子部となる中心コンタクト突起１４ｂとグランドの出力端子部となる外部コンタクト１４ｃとの同軸コネクタ構造になる。
【００１８】
一方、端子受け材１２は、図２に示したように、第二端子部１４の底部を直接支持する受皿１２ａと脚部１２ｂとから成る。そして、この脚部１２ｂの受皿１２ａ側に形成した突起１２ｃを、図５に示すように、第一端子部１６の円筒状フランジ１６ｃの周壁に設けた母線方向に延びる切り欠き１６ｅに嵌め込むことによって、端子受け材１２を第一端子部１６に前記母線方向の移動が可能に取り付けている。
【００１９】
また、第一端子部１６の外部コンタクト１６ｂにおける外周部の円弧の一部分を平面状に形成することによって、図３に示すように、フランジ１６ｃ内周壁との隙間１６ｆに、前記切り欠き１６ｅに嵌め込まれた突起１２ｃの一部を配置する。
【００２０】
以上の構成になる端子受け材１２並びに第二端子部１４は、図７に示すように、前記外部ケーブル２のプラグ１７が第一端子部１６に接続されていない場合、第二端子部１４の頭部までが前記アッパーケース１５の携帯端末３装着面Ｓより台内側の格納位置（第二位置）に収まっている。
この状態における、プラグ１７、第一端子部１６、端子受け材１２および第二端子部１４の相互配置は、図３におけるＡ−Ａ線に沿う断面を含む図８（ａ）に示すとおりである。
【００２１】
次に、図９に示すように、外部ケーブル２のプラグ１７を第一端子部１６に接続するに当って、外部コンタクト１６ｂとフランジ１６ｃとの間に、プラグ１７のコンタクトリング１７ｂを差し込むと、このコンタクトリング１７ｂの先端部が前記隙間１６ｆ内の突起１２ｃを押して端子受け材１２を装着面Ｓ側に移動させ、この移動に連れて端子受け材１２で支持されている第二端子部１４も装着面Ｓ側に移動される結果、第二端子部１４の頭部が装着面Ｓから突出する位置（第一位置）まで変化する。
この状態における、プラグ１７、第一端子部１６、端子受け材１２および第二端子部１４の相互配置は、図８（ｂ）に示すとおりである。
【００２２】
以上述べたように、携帯端末用台１は、外部ケーブル２のプラグ１７を第一端子部１６に差し込むことに連動して、格納位置にあった第二端子部１４の接点となる頭部が装着面Ｓから突出するため、この頭部の視認によって外部ケーブルのプラグ１７の接続確認が容易に行えるため、携帯端末用台１が例えば放送受信可能な状態にあることが一目瞭然となる。
【００２３】
かように、放送受信可能な状態にある携帯端末用台１には、図１０および図１１に示すように、携帯端末３を装着して該携帯端末３の画面を介して放送画像を観賞することになる。すなわち、第二端子部１４の頭部が突出した状態（第一位置）にある携帯端末用台１に、携帯端末３を装着すると、第二端子部１４の頭部に携帯端末３の受信端子部１９が嵌り合い、外部ケーブル２からの放送信号の入力が可能になる。
【００２４】
すなわち、携帯端末３の受信端子部１９は、図１２に示すように、第二端子部１４の中心コンタクト突起１４ｂが嵌り合う凹部内に中心コンタクトボタン１９ａを有し、同外部コンタクト１４ｃの接触域に外部コンタクトボタン１９ｂを有する。これらボタン１９ａおよび１９ｂは、例えば受信端子本体側に固定した、ばね（図示せず）を介して第二端子部１４側に付勢されていて、第二端子部１４の頭部が嵌められると、中心コンタクトボタン１９ａおよび外部コンタクトボタン１９ｂとの間で適度の接触圧を保持したまま、第二端子部１４の頭部に押される。
【００２５】
特に、中心コンタクトボタン１９ａが第二端子部１４の中心コンタクト突起１４ｂに押されると、図１２（ｂ）に仮想線で示すように、その変位がそのままスイッチ１９ｃにおける変位となり、スイッチ１９ｃから内蔵アンテナ側への回路が切断されて、第二端子部１４の中心コンタクト突起１４ｂからの放送信号がテレビジョンモジュール側へ入力されることになる。ここでの回路は、図１３に示すとおりである。
【００２６】
従って、携帯端末３を携帯端末用台１に装着すれば、内蔵アンテナを介して放送受信を行う通常使用形態から、外部アンテナからの良好な信号を受信する回路に切り替わり、高品位の放送画像が再現される、据え置き型のテレビジョン装置としての使用形態に、簡単に移行することができる。
【図面の簡単な説明】
【００２７】
【図１】携帯端末を装着した携帯端末用台を示す斜視図である。
【図２】本発明の携帯端末用台の分解斜視図である。
【図３】携帯端末用台の底面図である。
【図４】外部ケーブルの端子を差し込む第一端子部の構造を示す図である。
【図５】第一端子部および第二端子部の組み付け構造を示す図である。
【図６】第二端子部とその端子受け材とを示す図である。
【図７】外部ケーブルのプラグを差し込む前の第二端子部の位置を示す図である。
【図８】図３におけるＡ−Ａ線に沿う断面を含む台の底面側からの斜視図である。
【図９】外部ケーブルのプラグ差し込み後の第二端子部の位置を示す図である。
【図１０】携帯端末の受信端子部と第二端子部との嵌め合いを示す図である。
【図１１】携帯端末の受信端子部と第二端子部との嵌め合い部分の拡大図である。
【図１２】携帯端末の受信端子部の構造を示す図である。
【図１３】受信端子部の受信切り替え用の回路を示す図である。
【符号の説明】
【００２８】
１  携帯端末用台
２  外部ケーブル
３  携帯端末
１０  ロアケース
１１  信号中継基板
１２  端子受け材
１３  装着ボード
１４  第二端子部
１５  アッパーケース
【図１】
0004450798.tif 000002
【図２】
0004450798.tif 000003
【図３】
0004450798.tif 000004
【図４】
0004450798.tif 000005
【図５】
0004450798.tif 000006
【図６】
0004450798.tif 000007
【図７】
0004450798.tif 000008
【図８】
0004450798.tif 000009
【図９】
0004450798.tif 000010
【図１０】
0004450798.tif 000011
【図１１】
0004450798.tif 000012
【図１２】
0004450798.tif 000013
【図１３】
0004450798.tif 000014